(57)【要約】【課題】マンション等における直貼りフロアーのリフォーム時に好適な床下地材およびそれを使用した床材構造を提供する。【解決手段】既存床材１の上に新たな床材３を上貼りするに際し、既存床材１と新たな床材３との間に介在させる床下地材２およびそれを使用した床材構造であって、第１木質基材１１、合成樹脂発泡体１２および第２木質基材１３を順に積層し、接合したことを特徴とする床下地材２およびそれを使用した床材構造。【選択図】  図２
2012246662.tif 000002
【特許請求の範囲】
【請求項１】
既存床材の上に新たな床材を上貼りするに際し、既存床材と新たな床材との間に介在させる床下地材であって、
第１木質基材、合成樹脂発泡体および第２木質基材を順に積層し、接合したことを特徴とする床下地材。
【請求項２】
既存床材の上に新たな床材を上貼りするに際し、既存床材と新たな床材との間に床下地材を介在させるリフォーム用の床材構造であって、
請求項１に記載の床下地材を用いることを特徴とするリフォーム用の床材構造。
【請求項３】
既存床材および新たな床材がクッション性を有する床材であることを特徴とする請求項２に記載のリフォーム用の床材構造。
【請求項４】
既存床材および新たな床材が防音性能を有する床材であることを特徴とする請求項２または請求項３に記載のリフォーム用の床材構造。
【発明の詳細な説明】
【技術分野】
【０００１】
本発明は、建築物のリフォーム時に使用する床下地材およびそれを使用した床材構造に係り、特にマンション等における直貼りフロアーのリフォーム時に好適な床下地材およびそれを使用した床材構造に関する。
【背景技術】
【０００２】
一般住宅において、内装の床面をリフォームする場合、既存の床材等を除去した後に新たに床材等を貼り替える方法、および既存の床材の上に新たな床材等を上貼りする方法の２通りの方法が挙げられる。
【０００３】
前者の方法では、既存の床材の撤去作業に多くの手間と時間がかかる上に、撤去作業に伴う廃材が大量に発生するという問題が生じるのに対して、後者の方法では、これらの問題が解消できる利点がある。
【０００４】
特許文献１には、既存の床材の上に新たな床材をステープル等の釘類により固定する木質床材、その製造方法および床材施工方法が開示されている。
【先行技術文献】
【特許文献】
【０００５】
【特許文献１】特開２００２−１５５６１７
【発明の概要】
【発明が解決しようとする課題】
【０００６】
特許文献１に開示された木質床材は、接着剤または両面テープにより接着された上板材および下板材からなる特殊な形状の床材であり、下板材側がステープル等の釘類により既存床材に固定されるものである。
【０００７】
上記の方法は、既存床材への上貼り専用に考え出されたものであるため、通常の床材とは異なる施工技術の習得を要する。さらに、木質床材自体も特殊な薄い形状のものであるため、加工が非常に難しいという問題がある。そのため、通常の床材をそのまま上貼りに使用する方法に対する要求がある。
【０００８】
そこで、本発明は、通常の床材をそのまま上貼りできるリフォーム用の床材構造およびそれに用いられる床下地材を提案することを目的とする。
【課題を解決するための手段】
【０００９】
本発明者は、通常の直貼りフロアーを上貼りする方法につき検討した結果、以下の知見を得た。
【００１０】
（Ａ）マンションにおける通常の直貼りフロアー等の床材には防音性能を付与させるため、木質基材の裏面に発泡樹脂または不織布より成るクッション材が貼付されている。そのため、クッション性を有する既存床材の上にさらにクッション性を有する新たな床材を上貼りすると、歩行感が悪化する。また、長期間使用するうちに、不陸や段違いの問題が生じる。
【００１１】
（Ｂ）既存の床材と新たな床材との間に床下地材を介することによって、床の面剛性が強化されるため、クッション性を有する既存床材にクッション性を有する新たな床材を上貼りした時の歩行感が向上する。
【００１２】
本発明者は、既存床材と新たな床材との間に介在させる床下地材について、さらに検討し、鋭意研究を行った結果、以下の知見を得るに至った。
【００１３】
（Ｃ）床下地材は、床の面剛性強化の目的で用いられることから、ある程度の剛性が要求されるが、あまりに剛性の高い材料であると、現場での施工に際し、床下地材を床の形状に合わせて丸鋸等で切断する必要が生じ、騒音や粉塵が発生する原因となるだけでなく、作業効率が低下する。よって、床下地材は、ある程度の剛性を有しつつも、カッターで切れる素材で構成されることが望まれる。
【００１４】
（Ｄ）床下地材は、作業効率向上の観点から軽量であることが望まれる。
【００１５】
本発明は、このような知見に基づいてなされたものであり、下記の（１）に示す床下地材および（２）〜（４）に示すリフォーム用の床材構造を要旨とする。
【００１６】
（１）既存床材の上に新たな床材を上貼りするに際し、既存床材と新たな床材との間に介在させる床下地材であって、
第１木質基材、合成樹脂発泡体および第２木質基材を順に積層し、接合したことを特徴とする床下地材。
【００１７】
（２）既存床材の上に新たな床材を上貼りするに際し、既存床材と新たな床材との間に床下地材を介在させるリフォーム用の床材構造であって、
前記（１）に記載の床下地材を用いることを特徴とするリフォーム用の床材構造。
【００１８】
（３）既存床材および新たな床材がクッション性を有する床材であることを特徴とする前記（２）に記載のリフォーム用の床材構造。
【００１９】
（４）既存床材および新たな床材が防音性能を有する床材であることを特徴とする前記（２）または（３）に記載のリフォーム用の床材構造。
【発明の効果】
【００２０】
本発明によれば、歩行感が良好であり、かつ不陸または段違いの問題も生じにくい床材構造を得ることができる。本発明の床材構造を一般住宅の床面に施工すれば、既存床材の撤去作業の必要がないため工期を短縮でき、廃材の発生を軽減できる。さらに、本発明の床下地材は、カッターでの切断が可能であり、軽量で持ち運び容易であることから、現場での作業効率を向上させることができる。したがって、本発明の床材構造およびそれに用いられる床下地材は、マンション等のリフォーム時に最適である。
【図面の簡単な説明】
【００２１】
【図１】本発明の床材構造による施工途中の状態の一例を示す斜視図である。
【図２】本発明の床下地材の断面を模式的に示した図である。
【発明を実施するための形態】
【００２２】
図１は、本発明の床材構造による施工途中の状態の一例を示す斜視図である。本発明の床材構造には、既存床材１、床下地材２および新たな床材３が含まれる。各構成要素について、以下に詳細を示す。
【００２３】
１．既存床材
本発明の床材構造を施工する既存床材１については特に制限はないが、好適な既存床材として例えば、化粧材、木質基材およびクッション材から成る直貼り防音フロアー（軽量床衝撃音でＬＬ−６０またはそれより性能が優れるもの、すなわち、ＬＬ−６０以上の防音性能を有するもの等）、またはクッションフロアー等のプラスチック系シート床材等のクッション性を有する床材が挙げられる。
【００２４】
２．床下地材
既存床材１と後述の新たな床材３との間に床下地材２を介在させることによって、床の面剛性を強化し歩行感を向上させることができる。
【００２５】
図２は、本発明の床材構造の断面を模式的に示した図である。本発明の床下地材２は、第１木質基材１１、合成樹脂発泡体１２および第２木質基材１３を順に積層し、接合したことを特徴とする。
【００２６】
第１木質基材および第２木質基材については、例えば、合板、木質繊維材、パーチクルボード、集成材等を用いることができる。カッターでの切断が容易であるという点から、上記の木質基材に使用される材料として、比重０．５以下の針葉樹材を用いるのが好ましい。ただし、針葉樹合板または針葉樹集成材を用いる場合、他の床材との接着性を考慮し、表面に抜け節などのない平滑な材に限る。
【００２７】
合成樹脂発泡体については、例えば、スチレン、ウレタン、ポリプロピレン、ポリエチレン等合成樹脂の発泡体を用いることができる。その中でも、優れた断熱性を有する発泡スチレンを用いることが最も好ましい。
【００２８】
合成樹脂発泡体の発泡倍率については、特に制限はないが、圧縮強度を確保するためには、２０倍以下であることが好ましく、１５倍以下であることがより好ましい。一方、発泡倍率が低すぎるとカッターでの切断が困難になり、また重量も増すことから、５倍以上であることが好ましい。
【００２９】
第１木質基材、合成樹脂発泡体および第２木質基材の３層を接合する方法としては、例えば、接着剤または両面テープ等を用いることができる。
【００３０】
床下地材の厚さについては特に制限はないが、カッターで容易に切断するためには、２０ｍｍ以下であることが好ましく、１０ｍｍ以下であることがより好ましい。一方、床の面剛性を確保するためには、床下地材の厚さは、５ｍｍ以上であることが好ましい。
【００３１】
床下地材全体の厚さに対する合成樹脂発泡体の厚さの占める割合についても特に制限はないが、４０〜８０％であることが好ましい。低比重の合成樹脂発泡体の厚さの占める割合が、４０％未満では、床下地材全体の重量が増し、カッターでの切断も困難になる。一方、合成樹脂発泡体の厚さの占める割合が、８０％を超えると、床下地材の剛性が劣る結果となる。
【００３２】
また、大きさについても、小さすぎると面剛性が小さくなり、大きすぎると施工がしにくくなることを考慮して適切な大きさのものを選択すれば良い。例えば、巾９００ｍｍ、長さ９００ｍｍまたは、巾９００ｍｍ、長さ１８００ｍｍのものを用いるのが好ましい。
【００３３】
上記のような構成にすることによって、剛性を確保するとともに、カッターでの切断が可能であり軽量な床下地材を実現することができる。例えば、厚さ２．５ｍｍ、比重０．５の第１木質基材および第２木質基材、ならびに厚さ５ｍｍ、比重０．１の合成樹脂発泡体を用いた、全体の厚さが１０ｍｍの本発明に係る床下地材は、厚さ１０ｍｍ、比重０．５の木質基材のみからなる床下地材と比較して、４０％質量を低減させることが可能となる。
【００３４】
隣り合う床下地材同士は、実嵌合することが好ましい。実嵌合は、隣り合う床下地材同士の接触面を実加工凸部および実加工凹部とし、凸部を凹部に差し込んで両者を接合する本実を用いても、または双方とも実加工凹部とし、凹部に細い板を差し込んで両者を接合する雇実を用いても良い。
【００３５】
既存床材１への貼り付けは、接着剤、両面テープ、ビス、ステープルまたはこれらの組み合わせにより適宜行うことができる。ビスを用いる場合であって、既存床材が、化粧材、木質基材およびクッション材から成る直貼り防音フロアーである場合、ビスがクッション材まで達すると固定に対する効き目が弱まるため、ビスの長さは、防音フロアーの木質基材部分で止まる長さに調整することが好ましい。
【００３６】
３．新たな床材
新たな床材３については特に制限はなく、一般的な木質基材の床材を用いることができる。新たな床材はクッション性を有することが好ましい。クッション性を有する床材としては、化粧材、木質基材およびクッション材が複合された直貼りフロアーや、クッションフロアーのように樹脂単体で構成されるプラスチック系シート床材が挙げられる。
【００３７】
直貼りフロアーに用いられる化粧材としては、突板、樹脂シート、樹脂含浸紙、印刷紙等が例示できる。また、木質基材としては、合板、木質繊維材、無垢材、集成材、またはこれらの組み合わせを適宜使用できる。クッション材としては、例えば、発泡樹脂または不織布を用いることができる。
【００３８】
また、新たな床材は防音性能を有することが好ましい。防音性能を有するとは、軽量床衝撃音でＬＬ−６０以上であることを意味する。好ましい防音性能はＬＬ−５０以上であり、より好ましい防音性能はＬＬ−４５以上であり、さらに好ましい防音性能はＬＬ−４０以上である。
【００３９】
床下地材２への上貼りは、接着剤または両面テープにより行うことができる。
【産業上の利用可能性】
【００４０】
本発明によれば、歩行感が良好であり、かつ不陸または段違いの問題も生じにくい床材構造を得ることができる。本発明の床材構造を一般住宅の床面に施工すれば、既存床材の撤去作業の必要がないため工期を短縮でき、廃材の発生を軽減できる。さらに、本発明の床下地材は、カッターでの切断が可能であり、軽量で持ち運び容易であることから、現場での作業効率を向上させることができる。したがって、本発明の床材構造およびそれに用いられる床下地材は、マンション等のリフォーム時に最適である。
【符号の説明】
【００４１】
１．既存床材
２．床下地材
３．新たな床材
４．コンクリートスラブ
１１．第１木質基材
１２．合成樹脂発泡体
１３．第２木質基材
【図１】
2012246662.tif 000003
【図２】
2012246662.tif 000004